(57)【要約】【課題】ユーザの必要性に応じて、静止画像の表示等を適宜変更する技術を提供する。【解決手段】表示装置１０は、複数の静止画像Ｇから選出された静止画像Ｇを表示部１４に表示させ、基準時間ｔｎが経過する毎に、表示部１４に表示された静止画像Ｇを、複数の静止画像Ｇのうちの別の静止画像Ｇに置き換えて表示する置換処理を実行する表示制御部４０と、表示指示を検出する検出部４２と、を備え、表示制御部４０は、検出部４２が表示指示を検出してからの経過時間が長いほど、単位時間当たりに表示部１４に表示される静止画像Ｇの数を少なくする処理を実行する。これによって、ユーザの必要性に応じた画面遷移を提供することができる。【選択図】図１
2012048376.tif 000002
【特許請求の範囲】
【請求項１】
複数の静止画像から選出された静止画像を表示部に表示させ、基準時間が経過する毎に、前記表示部に表示された静止画像を、前記複数の静止画像のうちの別の静止画像に置き換えて表示する置換処理を実行する表示制御部と、
表示指示を検出する検出部と、
を備え、
前記表示制御部は、前記検出部が前記表示指示を検出してからの経過時間が長いほど、単位時間当たりに前記表示部に表示される静止画像数を少なくする処理を実行する表示装置。
【請求項２】
請求項１に記載の表示装置であって、
前記表示制御部は、互いに異なる長さの複数個の前記基準時間を有しており、前記経過時間が予め定められた設定時間を超えたこと、及び前記検出部が前記表示指示を検出してからの累積表示枚数が予め定められた第１の設定枚数を超えたこと、の少なくとも一方を満たす場合に、第１の基準時間よりも長い第２の基準時間を適用する処理を実行する表示装置。
【請求項３】
請求項２に記載の表示装置であって、
前記表示制御部は、前記表示部の表示設定を行う設定処理をさらに実行しており、前記基準時間が短いほど、前記表示部の表示設定のうち、明るさ、階調、解像度の少なくとも１つを表すパラメータを低く設定する表示装置。
【請求項４】
請求項２または請求項３に記載の表示装置であって、
停止指示を受け付けた場合に、前記置換処理を停止し、前記表示部に静止画像の表示を継続させる継続処理を実行する第１停止制御部をさらに備え、
前記表示制御部には、前記複数の静止画像を前記表示部に表示する順番が予め定められており、
前記第１停止制御部は、前記停止指示を受け付けた際の基準時間が短いほど、前記順番に従って前記表示部に表示する前記静止画像の枚数を多くして継続処理を実行する表示装置。
【請求項５】
請求項４に記載の表示装置であって、
前記第１停止制御部は、前記停止指示を受け付けた際の基準時間が短いほど、前記停止指示を受け付けた際に前記表示部に表示されていた静止画像よりも先に表示されていた前記静止画像の枚数を多くして継続処理を実行する表示装置。
【請求項６】
請求項２または請求項３に記載の表示装置であって、
停止指示を受け付けた場合に、前記置換処理を停止し、前記表示部に静止画像の表示を継続させる継続処理を実行する第２停止制御部をさらに備え、
前記表示制御部には、前記複数の静止画像を前記表示部に表示する順番が予め定められており、
前記第２停止制御部は、前記停止指示を受け付けた際の基準時間が短いほど、前記順番に従って前記停止指示を受け付けた際に前記表示部に表示されていた静止画像よりも先の静止画像を前記表示部に表示して継続処理を実行する表示装置。
【請求項７】
請求項１から請求項６のいずれか一項に記載の表示装置であって、
前記検出部が前記表示開始指示を検出してからの経過時間が長いほど、単位時間当たりに前記表示部に表示される静止画像数を少なくする第１モードと、前記検出部が前記表示開始指示を検出してからの経過時間に関わらず、単位時間当たりに前記表示部に表示される静止画像数を一定とする第２モードと、を切り替える切替部をさらに備える表示装置。
【請求項８】
請求項１から請求項７のいずれか一項に記載の表示装置であって、
前記複数の静止画像が記憶されている外部記憶媒体を通信可能に接続する接続部をさらに備え、
前記検出部は、前記外部記憶媒体が前記接続部に接続されたことに応じて、前記表示指示を検出する表示装置。
【請求項９】
請求項１から請求項８のいずれか一項に記載の表示装置であって、
前記表示制御部は、互いに異なる数の複数個の前記基準枚数を有しており、前記経過時間が予め定められた設定時間を超えたこと、及び前記検出部が前記表示指示を検出してからの累積表示枚数が予め定められた第１の設定枚数を超えたこと、の少なくとも一方を満たす場合に、第１の基準枚数よりも少ない第２の基準枚数を適用する処理を実行する表示装置。
【請求項１０】
請求項１から請求項９のいずれか一項に記載の表示装置と、
印刷指示を受け付けた場合に、前記複数の静止画像を印刷する印刷部と、
前記印刷部の印刷設定を行う印刷制御部と、
を備え、
前記印刷制御部は、前記印刷指示を受け付けた際の前記単位時間当たりに前記表示部に表示される静止画像数が予め定められた第２の設定枚数よりも少なければ前記複数の静止画像の中の複数の静止画像を一の記録媒体に印刷するインデックス印刷を実行し、前記印刷指示を受け付けた際の前記単位時間当たりに前記表示部に表示される静止画像数が前記第２の設定枚数よりも多ければ、前記複数の静止画像の中の一の静止画像を一の記録媒体に印刷する単ページ印刷を実行する印刷装置。
【請求項１１】
表示装置に用いられるコンピュータに、
複数の静止画像から選出された静止画像を表示部に表示させ、基準時間が経過する毎に、前記表示部に表示された静止画像を、前記複数の静止画像のうちの別の静止画像に置き換えて表示する表示制御処理と、
表示開始指示を検出する検出処理と、
を実行させ、さらに、
前記表示指示を検出してからの経過時間が長いほど、単位時間当たりに前記表示部に表示される静止画像数を少なくする処理を実行させるプログラム。
【発明の詳細な説明】
【技術分野】
【０００１】
本発明は、表示装置における利便性を向上させるための技術に関する。
【背景技術】
【０００２】
従来から、経過時間に応じて表示する静止画像を異なる静止画像に置き換えて、複数の静止画像を順次（更新）表示可能な表示装置が知られている。これらの表示装置では、例えば、記録媒体に記憶されている静止画像の更新数に応じて画像の送り時間を早くする技術が開示されている（特許文献１参照）。
【先行技術文献】
【特許文献】
【０００３】
【特許文献１】特開２００３−６１０５２号公報
【発明の概要】
【発明が解決しようとする課題】
【０００４】
ところで、例えば、ユーザが記憶媒体に静止画像を記憶させる際に、その静止画像を閲覧せずに記憶させる場合がある。そのため、ユーザによっては、例えば、静止画像の表示を開始した初期時では、多数の静止画像を早く閲覧し、その後は静止画像をゆっくりと閲覧することが望まれる。また、静止画像を表示する際に表示設定を変更した直後も、ユーザによっては、例えば、当該表示設定が適用された静止画像を素早く閲覧し、その後は静止画像をゆっくりと観賞したい同様の要望がある。
【０００５】
本明細書では、上記のようなユーザの必要性に応じて、静止画像の表示等を適宜変更する技術を提供する技術を開示する。
【課題を解決するための手段】
【０００６】
本明細書によって開示される表示装置は、複数の静止画像から選出された静止画像を表示部に表示させ、基準時間が経過する毎に、前記表示部に表示された静止画像を、前記複数の静止画像のうちの別の静止画像に置き換えて表示する置換処理を実行する表示制御部と、表示指示を検出する検出部と、を備え、前記表示制御部は、前記検出部が前記表示指示を検出してからの経過時間が長いほど、単位時間当たりに前記表示部に表示される静止画像数を少なくする処理を実行する。
【０００７】
この表示装置は、表示指示を検出してからの経過時間が長いほど、単位時間当たりに表示部に表示される静止画像数を少なくする処理を実行している。そのため、ユーザが複数の静止画像を閲覧する際に、表示指示を検出してからの経過時間が短く、複数の静止画像の中身を素早く確認したいような状況では、単位時間当たりに表示部に表示される静止画像数を多くすることで中身の確認を容易とすることができる。また、表示指示を検出してからの経過時間が長く、複数の静止画像の中身を把握しているような状況では、単位時間当たりに表示部に表示される静止画像数を少なくすることで静止画像を充分に観賞することができる。この表示装置によれば、ユーザの必要性に応じた画面遷移を提供することができる。
【０００８】
前記表示制御部は、互いに異なる長さの複数個の前記基準時間を有しており、前記経過時間が予め定められた設定時間を超えたこと、及び前記検出部が前記表示指示を検出してからの累積表示枚数が予め定められた第１の設定枚数を超えたこと、の少なくとも一方を満たす場合に、第１の基準時間よりも長い第２の基準時間を適用する処理を実行することが好ましい。この表示装置によれば、設定時間や第１の設定枚数に基づいて画面遷移を変化させることができ、ユーザの必要性に応じて画面遷移を段階的に切り替えることができる。
【０００９】
前記表示制御部は、前記表示部の表示設定を行う設定処理をさらに実行しており、前記基準時間が短いほど、前記表示部の表示設定のうち、明るさ、階調、解像度の少なくとも１つを表すパラメータを低く設定することが好ましい。
【００１０】
基準時間が短い場合、静止画像が素早く遷移するので、基準時間が長い場合に比べて静止画像を視認するユーザの負担が増大してしまう。この表示装置では、基準時間が短いほど、表示部の明るさ、階調、解像度の少なくとも１つを表すパラメータを低く設定する。これによって、静止画像を視認する際のユーザの負担を軽減することができる。
【００１１】
停止指示を受け付けた場合に、前記置換処理を停止し、前記表示部に静止画像の表示を継続させる継続処理を実行する第１停止制御部をさらに備えてもよい。この場合、前記表示制御部には、前記複数の静止画像を前記表示部に表示する順番が予め定められており、前記第１停止制御部は、前記停止指示を受け付けた際の基準時間が短いほど、前記順番に従って前記表示部に表示する前記静止画像の枚数を多くして継続処理を実行することが好ましい。
【００１２】
この表示装置は、ユーザ等の停止指示を受け付けた場合に、特定の静止画像を継続して表示する機能を有する。しかし、基準時間が短い場合、静止画像が素早く遷移するので、ユーザが望む静止画像を表示させたい場合でも、停止指示のタイミングによっては、ユーザの望まない静止画像が表示部に表示されてしまうことがある。この表示装置では、静止画像を表示部に表示する順番が予め定められており、基準時間が短いほど表示部に表示する静止画像の枚数を多くする。この表示装置によれば、表示部に表示される静止画像の中にユーザが望む静止画像が含まれる確率を高めることができ、ユーザの必要性に応じた画面表示を提供することができる。
【００１３】
前記第１停止制御部は、前記停止指示を受け付けた際の基準時間が短いほど、前記停止指示を受け付けた際に前記表示部に表示されていた静止画像よりも先に表示されていた前記静止画像の枚数を多くして継続処理を実行することが好ましい。
【００１４】
基準時間が短い場合、静止画像が素早く遷移するので、ユーザが望む静止画像を表示させたい場合でも、停止指示のタイミングによっては、ユーザが望む静止画像が既に置換処理されてしまっていることがある。この場合、ユーザが望む静止画像を表示部に再び表示されるまでには、その他の静止画像が一巡して表示されるのを待つ必要があり、煩わしい。この表示装置では、基準時間が短いほど、停止指示を受け付けた際に表示部に表示されていた静止画像よりも先に表示されていた静止画像の枚数を多くする。この表示装置によれば、表示部に表示される静止画像の中にユーザが望む静止画像が含まれる確率を高めることができ、ユーザの必要性に応じた画面表示を提供することができる。
【００１５】
停止指示を受け付けた場合に、前記置換処理を停止し、前記表示部に静止画像の表示を継続させる継続処理を実行する第２停止制御部をさらに備えてもよい。この場合、前記表示制御部には、前記複数の静止画像を前記表示部に表示する順番が予め定められており、前記第２停止制御部は、前記停止指示を受け付けた際の基準時間が短いほど、前記順番に従って前記停止指示を受け付けた際に前記表示部に表示されていた静止画像よりも先の静止画像を前記表示部に表示して継続処理を実行することが好ましい。
【００１６】
基準時間が短い場合、静止画像が素早く遷移するので、ユーザが望む静止画像を表示させたい場合でも、停止指示のタイミングによっては、ユーザが望む静止画像が既に置換処理されてしまっている場合がある。この表示装置では、基準時間が短いほど、停止指示を受け付けた際に表示部に表示されていた静止画像と共に、あるいは当該静止画像に代えて当該静止画像よりも先に表示した静止画像を表示する。この表示装置によれば、基準時間に関わらず停止指示を受け付けた際に表示部に表示されていた静止画像を表示する場合に比べて、表示部にユーザが望む静止画像が表示される確率を高めることができ、ユーザの必要性に応じた画面表示を提供することができる。
【００１７】
前記検出部が前記表示開始指示を検出してからの経過時間が長いほど、単位時間当たりに前記表示部に表示される静止画像数を少なくする第１モードと、前記検出部が前記表示開始指示を検出してからの経過時間に関わらず、単位時間当たりに前記表示部に表示される静止画像数を一定とする第２モードと、を切り替える切替部をさらに備えていてもよい。この表示装置によれば、切替部を第２モードから第１モードに切り替えることで、ユーザの必要性に応じた画面遷移を提供することができる。
【００１８】
前記複数の静止画像が記憶されている外部記憶媒体を通信可能に接続する接続部をさらに備えていてもよい。この場合、前記検出部は、前記外部記憶媒体が前記接続部に接続されたことに応じて、前記表示指示を検出することが好ましい。ここで、接続部が外部記憶媒体に接続したことに「応じて」とは、例えば、表示装置に静止画像を記憶する記憶部がない場合、接続部が外部記憶媒体に接続され、「外部記憶媒体から静止画像の読み込みを開始したことに基づいて」の意味となる。また、例えば、表示装置に静止画像を記憶する記憶部がある場合、接続部が外部記憶媒体に接続され、「外部記憶媒体から記憶部へ静止画像が読み込まれたことに基づいて」の意味となる。この表示装置によれば、前記接続部に前記外部記憶媒体が接続されることで、ユーザの必要性に応じた画面遷移を提供することができる。
【００１９】
前記表示制御部は、互いに異なる数の複数個の前記基準枚数を有しており、前記経過時間が予め定められた設定時間を超えたこと、及び前記検出部が前記表示指示を検出してからの累積表示枚数が予め定められた第１の設定枚数を超えたこと、の少なくとも一方を満たす場合に、第１の基準枚数よりも少ない第２の基準枚数を適用する処理を実行することが好ましい。この表示装置によれば、設定時間や第１の設定枚数に基づいて画面遷移を変化させることができ、ユーザの必要性に応じて画面遷移を段階的に切り替えることができる。
【００２０】
上記の制御装置を用いて構成される印刷装置も新規で有用である。本明細書によって開示される印刷装置は、上記に記載の表示装置と、印刷指示を受け付けた場合に、前記複数の静止画像を印刷する印刷部と、前記印刷部の印刷設定を行う印刷制御部と、を備える。前記印刷制御部は、前記印刷指示を受け付けた際の前記単位時間当たりに前記表示部に表示される静止画像数が予め定められた第２の設定枚数よりも少なければ前記複数の静止画像の中の複数の静止画像を一の記録媒体に印刷するインデックス印刷を実行し、前記印刷指示を受け付けた際の前記単位時間当たりに前記表示部に表示される静止画像数が前記第２の設定枚数よりも多ければ、前記複数の静止画像の中の一の静止画像を一の記録媒体に印刷する単ページ印刷を実行する。
【００２１】
この印刷装置は、ユーザ等の印刷指示を受け付けた場合に、特定の静止画像を印刷する機能を備える。ここで、単位時間当たりに表示部に表示される静止画像数が多い場合は、静止画像が素早く遷移するため、ユーザにとっては、複数の静止画像を早く閲覧したいという要望からインデックス印刷を実行する可能性がある。また、単位時間当たりに表示部に表示される静止画像数が少ない場合は、静止画像がゆっくりと遷移するため、ユーザにとっては、表示されている特定の静止画像を閲覧したいという要望からに当該特定の静止画像に対して印刷を実行する可能性がある。この印刷装置によれば、ユーザの必要性に応じた印刷を提供することができる。
【００２２】
なお、本明細書に記載の技術は、表示装置を実現するためのプログラムや表示方法等、種々の態様で実現することができる。これらを用いることで、上記の表示装置を実現することができ、また上記の表示装置を利用して、ユーザの必要性に応じた処理を提供する装置を実現することができる。
【図面の簡単な説明】
【００２３】
【図１】実施形態１におけるシステムの構成を示すブロック図
【図２】表示処理を示すフローチャート
【図３】基準時間ｔｎと表示設定Ｓの関係を示す表
【図４】基準時間ｔｎと設定時間Ｔｎの関係を示す表
【図５】停止処理を示すフローチャート
【図６】基準時間ｔｎと表示枚数ｈｎと含有枚数ｇｎの関係を示す表
【図７】印刷処理を示すフローチャート
【図８】基準時間ｔｎと印刷設定Ｓの関係を示す表
【図９】実施形態２におけるシステムの構成を示すブロック図
【図１０】基準枚数ｍｎと設定枚数Ｍｎの関係を示す表
【図１１】基準時間ｔｎと戻り枚数ｒｎの関係を示す表
【図１２】停止処理を示すフローチャート
【図１３】その他の実施形態におけるシステムの構成を示すブロック図
【図１４】その他の実施形態におけるシステムの構成を示すブロック図
【図１５】その他の実施形態におけるシステムの構成を示すブロック図
【図１６】その他の実施形態におけるシステムの構成を示すブロック図
【発明を実施するための形態】
【００２４】
＜実施形態１＞
実施形態１を図１から図８を用いて説明する。
【００２５】
１．システムの構成
図１は、本実施形態のシステムの構成例を示すブロック図である。本システムは、表示装置１０とプリンタ（印刷部の一例）３２とを備えている。
【００２６】
表示装置１０は、中央処理装置（以下「ＣＰＵ」という）１２、液晶ディスプレイ等を有する表示部１４、記憶部（ＲＯＭ、ＲＡＭ、ハードディスクを含む）１６、接続部１８、操作部２０、ネットワークインターフェイス２２等を備えており、各部が内部配線２４によって接続されている。
【００２７】
記憶部１６には、複数のプログラムＰが記憶されている。ＣＰＵ１２は、記憶部１６から読み出したプログラムＰに従って表示制御部４０、検出部４２、計時部４４、停止制御部４６、印刷制御部４８、切替部５０等として機能し、表示装置１０及びプリンタ３２を制御する。この際、ＣＰＵ１２は、記憶部１６に記憶された設定時間Ｔｎや基準時間ｔｎ等を用いて表示装置１０及びプリンタ３２の制御を行う。
【００２８】
また記憶部１６には、複数の静止画像Ｇ及び表示／印刷設定Ｓが記憶されている。ＣＰＵ１２は、記憶部１６に記憶された明るさｘｎ、階調ｙｎ、解像度ｚｎ等の表示設定Ｓに基づいて、記憶部１６から読み出した静止画像Ｇを表示部１４に表示する。また、ＣＰＵ１２は、記憶部１６に記憶されたインデックス印刷、単ページ印刷等の印刷設定Ｓに基づいて、記憶部１６から読み出した静止画像Ｇを、プリンタ３２を用いて印刷する。
【００２９】
接続部１８は、ＵＳＢメモリやＳＤカード等の外部メモリ（外部記憶媒体の一例）３０と接続可能に構成されている。ＣＰＵ１２は、外部メモリ３０が接続部１８に接続された場合に、外部メモリ３０に記憶された複数の静止画像Ｇを記憶部１６に記憶する。
操作部２０は、複数のボタンｂ１〜ｂ４からなり、ユーザから入力される停止指示や印刷指示等をＣＰＵ１２に入力する。
【００３０】
ネットワークインターフェイス２２は、例えばＬＡＮ（Ｌｏｃａｌ  Ａｒｅａ  Ｎｅｔｗｏｒｋ）によるイントラネット内の通信回線３４に接続されている。表示装置１０は、ネットワークインターフェイス２２を介してプリンタ３２とデータ通信を行うことができ、プリンタ３２にて静止画像Ｇを印刷することができる。尚、表示装置１０とプリンタ３２とは、ＬＡＮによる通信回線３４にて接続されるだけでなく、例えば、無線通信を用いて接続されてもよければ、専用配線を用いて接続されていてもよい。
【００３１】
２．表示処理
図２から図４を用いて、表示装置１０における静止画像Ｇの表示処理を説明する。図２は、ＣＰＵ１２で実行される設定処理を含む表示処理のフローチャートを示し、図３及び図４は、設定処理に用いられる表を示している。尚、本実施形態では、表示部１４に単数の静止画像Ｇが表示されており、置換処理において、ＣＰＵ１２がその静止画像Ｇを置き換える例を用いて説明を行う。
【００３２】
ＣＰＵ１２は、表示装置１０への電源供給が開始される又はユーザなどにより表示処理の開始が指示されると、図２の表示処理を開始する。ここで、ＣＰＵ１２は、通常、一定の基準時間ｔ３が経過する毎に表示部１４に表示された静止画像Ｇを、次の順番の静止画像Ｇに置き換えて表示する置換処理（第２モード置換処理）を実行している（ステップＳ２）。尚、ＣＰＵ１２は、記憶部１６に記憶された静止画像Ｇを表示部１４に表示しており、表示制御部４０として機能している。また、ＣＰＵ１２には、静止画像Ｇを表示部１４に表示する順番が予め決定されている。
【００３３】
ＣＰＵ１２は、以下のいずれかの事象が発生した場合に、第２モード置換処理から、複数の基準時間ｔｎ（ｔ１、ｔ２、ｔ３）を用いて静止画像Ｇを置き換える置換処理（第１モード置換処理）へと切り替える。この際、ＣＰＵ１２は検出部４２及び切替部５０として機能する。
（１）ユーザによってモード切換ボタンｂ３が押され、モード切換指示が入力された場合（ステップＳ４）。
（２）ユーザによって外部メモリ３０が接続部１８に接続され、外部メモリ３０から記憶部１６に静止画像Ｇが記憶された場合（ステップＳ６）。
（３）ユーザによって設定変更ボタンｂ４が押され、各種設定が変更された場合（ステップＳ８）。
【００３４】
ＣＰＵ１２は、上記のいずれかの事象が発生するまで（ステップＳ４、Ｓ６、Ｓ８でいずれもＮＯ）第２モード置換処理を実行しており、上記のいずれかの事象が発生した場合（ステップＳ４、Ｓ６、Ｓ８でいずれかがＹＥＳ）に、基準時間ｔｎを複数の基準時間ｔｎのうち最も短い第１の基準時間ｔ１に切り替える（ステップＳ１０）。尚、記憶部１６には複数の基準時間ｔｎ（ｔ１、ｔ２、ｔ３）が記憶されており、この順に期間が長くなるように設定されている。例えば、基準時間ｔ１は０．５秒であり、基準時間ｔ２は１秒であり、基準時間ｔ３は１０秒である。
【００３５】
その後、ＣＰＵ１２は、基準時間ｔｎが第１の基準時間ｔ１に切り替えられた場合に、表示設定Ｓを最も低いものに切り替える（ステップＳ１２）。図３に示すように、記憶部１６では表示設定Ｓが基準時間ｔｎに関連付けられて記憶されているため、ＣＰＵ１２は、明るさｘｎを複数の明るさｘｎのうち最も暗い第１の明るさｘ１に、階調ｙｎを複数の階調ｙｎのうち最も階調数が少ない第１の階調ｙ１に、解像度ｚｎを複数の解像度ｚｎのうち最も低い第１の解像度ｚ１に、それぞれ切り替える。ここで、「明るさ」とは、輝度、彩度、色相の少なくとも１つを意味している。つまり、明るさを暗くものに切り替えるとは、輝度を落とすこと、彩度を落とすこと、色相を無くすこと（モノトーン表示）等を意味している。
【００３６】
またＣＰＵ１２は、上記のいずれかの事象（ステップＳ４、Ｓ６、Ｓ８でいずれかがＹＥＳ）が発生してからの経過時間Ｔを計測している（ステップＳ１４）。この際、ＣＰＵ１２は計時部４４として機能する。尚、ステップＳ１０、Ｓ１２、Ｓ１４の処理は略同時に行われている。
【００３７】
次に、ＣＰＵ１２はモード切換ボタンｂ３を監視しており（ステップＳ１６）、第１モード置換処理の実行中にモード切換ボタンｂ３が押された場合に、第２モード置換処理へと切り替える（ステップＳ１６でＹＥＳ）。一方、モード切換ボタンｂ３が押されない場合には（ステップＳ１６でＮＯ）、第１モード置換処理を継続する。
【００３８】
さらに、ＣＰＵ１２は経過時間Ｔと設定時間Ｔｎを比較しており（ステップＳ１８）、経過時間Ｔが設定時間Ｔｎを超えない場合（ステップＳ１８でＮＯ）に、現在設定されている基準時間ｔｎで第１モード置換処置を実行する。一方、経過時間Ｔが設定時間Ｔｎを超えた場合（ステップＳ１８でＹＥＳ）に、基準時間ｔｎを切り替える（ステップＳ２０）。
【００３９】
尚、記憶部１６には複数の設定時間Ｔｎ（Ｔ１、Ｔ２）が記憶されており、この順に期間が長くなるように設定されている。例えば、設定時間Ｔ１は１０秒であり、設定時間Ｔ２は２０秒である。図４に、設定時間Ｔｎと基準時間ｔｎの関係を示す。ＣＰＵ１２は、経過時間Ｔが設定時間Ｔ１を超えた場合に、基準時間ｔｎを第１の基準時間ｔ１から第１の基準時間ｔ１の次に短い第２の基準時間ｔ２に切り替える。また、経過時間Ｔが設定時間Ｔ２を超えた場合に、基準時間ｔｎを第２の基準時間ｔ２から最も長い第３の基準時間ｔ３に切り替える。つまりＣＰＵ１２は、所定の時間が経過した場合に、基準時間ｔｎを一段長いものに切り替える。
【００４０】
ＣＰＵ１２はステップ２０で基準時間ｔｎを切り替えると、基準時間ｔｎの切り替えに伴って、表示設定Ｓを一段高いものに切り替える（ステップＳ２２）。上述したように、表示設定Ｓは基準時間ｔｎに関連付けられて記憶されており、ＣＰＵ１２はこの関係に基づいて表示設定Ｓを一段高いものに切り替える。詳細には、図３に従って、明るさｘｎを一段明るいものに切り替え、階調ｙｎを一段階調数が多いものに切り替え、解像度ｚｎを一段高いものに切り替える。
【００４１】
さらに、ＣＰＵ１２は、基準時間ｔｎと基準時間ｔ３を比較しており（ステップＳ２４）、基準時間ｔｎが基準時間ｔ３と等しくなった場合に、第２モード置換処理へと切り替える（ステップＳ２４でＹＥＳ）。一方、基準時間ｔｎが基準時間ｔ３と異なる場合（ステップＳ２４でＮＯ）には、ステップＳ１６からステップＳ２２の第１モード置換処理を繰り返す。
【００４２】
尚、この表示処理は、表示装置１０への電源供給が停止したときや、後述する停止処理又は印刷処理が実行されたことに応じて処理を終了する。
【００４３】
３．停止処理
図５及び図６を用いて、表示装置１０における静止画像Ｇの停止処理を説明する。図５は、ＣＰＵ１２で実行される設定処理を含む停止処理のフローチャートを示し、図６は、設定処理に用いられる表を示している。
【００４４】
ＣＰＵ１２は、上述した表示処理における何れかの置換処理中にユーザによって停止ボタンｂ１が押され、停止指示が入力されると、図５の停止処理を開始する。ここで、ＣＰＵ１２は、置換処理を中止し、特定の静止画像Ｇを継続的に表示する継続処理を実行する（ステップＳ３２）。この際、ＣＰＵ１２は停止制御部４６として機能する。
【００４５】
その後、ＣＰＵ１２は、停止ボタンｂ１が押された際の基準時間ｔｎを監視し、この基準時間ｔｎに基づいて表示枚数ｈｎを設定し（ステップＳ３４）、含有枚数ｇｎを設定し（ステップＳ３６）、これらの設定に基づいて静止画像Ｇを継続的に表示する（ステップＳ３８）。尚、記憶部１６には、継続処理において表示部１４に表示される静止画像Ｇの内訳が記憶されている。図６に示すように、記憶部１６には基準時間ｔｎに関連付けられて表示枚数ｈｎと含有枚数ｇｎが記憶されている。
【００４６】
ここで表示枚数ｈｎとは、継続処理となった場合に表示部１４に表示される静止画像Ｇの枚数を表している。また含有枚数ｇｎとは、継続処理となった場合に表示部１４に表示される静止画像Ｇのうち、継続処理となった際に表示部１４に表示されていた静止画像Ｇよりも先に表示された静止画像Ｇが表示される枚数を示している。
【００４７】
例えば、静止画像Ｇが静止画像Ｇ１、Ｇ２・・・の順番で表示されており、停止ボタンｂ１が押された際に表示されていた静止画像Ｇが静止画像Ｇ６であったとする。また、表示枚数ｈｎが５枚であり、含有枚数ｇｎが４枚であったとする。このとき、表示部１４には静止画像Ｇ６が表示されるとともに、静止画像Ｇ６の直前に表示されていた４枚の静止画像Ｇ、つまり静止画像Ｇ２からＧ５が表示されることとなる。
【００４８】
尚、記憶部１６には複数の表示枚数ｈｎ（ｈ１、ｈ２、ｈ３）が記憶されており、この順に枚数が少なくなるように設定されている。例えば、表示枚数ｈ１は５枚であり、表示枚数ｈ２は３枚であり、表示枚数ｈ３は１枚である。また、記憶部１６には複数の含有枚数ｇｎ（ｇ１、ｇ２、ｇ３）が記憶されており、この順に枚数が少なくなるように設定されている。例えば、含有枚数ｇ１は４枚であり、含有枚数ｇ２は２枚であり、含有枚数ｇ３は０枚である。つまり、表示枚数ｈｎ及び含有枚数ｇｎは、基準時間ｔｎとの関係において、基準時間ｔｎが短くなるに従って表示枚数ｈｎ及び含有枚数ｇｎの枚数が多くなるように設定されている。
【００４９】
ステップＳ３８にて静止画像Ｇの継続的な表示が開始された後、ＣＰＵ１２は、ユーザによって印刷ボタンｂ２が押されるか否かを監視しており（ステップＳ４０）、所定時間内にユーザによって印刷ボタンｂ２が押されない場合（ステップＳ４０でＮＯ）に、停止処理を終了する。一方、ユーザによって印刷ボタンｂ２が押された場合（ステップＳ４０でＹＥＳ）に、印刷する静止画像Ｇを選択する選択処理を実行する（ステップＳ４２）。
【００５０】
選択処理において、ＣＰＵ１２は、表示部１４に単数の静止画像Ｇが表示されている場合、その静止画像Ｇを選択する。一方、表示部１４に複数の静止画像Ｇが表示されている場合、表示部１４を介してユーザに印刷する静止画像Ｇを選択する旨の表示を行い、操作部２０等を用いてユーザに静止画像Ｇを選択させる。ＣＰＵ１２は、静止画像Ｇが選択された場合に、プリンタ３２を用いて選択された静止画像Ｇを印刷し（ステップＳ４４）、停止処理を終了する。尚、停止処理が終了した後は、表示処理を再開しても良いし、表示部１４に何も表示しない状態に移行しても良い。
【００５１】
４．印刷処理
図７及び図８を用いて、表示装置１０における静止画像Ｇの印刷処理を説明する。図７は、ＣＰＵ１２で実行される設定処理を含む印刷処理のフローチャートを示し、図８は、設定処理に用いられる表を示している。
【００５２】
ＣＰＵ１２は、上述した表示処理における何れかの置換処理中にユーザによって印刷ボタンｂ２が押され、印刷指示が入力された場合に、図７の印刷処理を開始する。ここで、ＣＰＵ１２は、置換処理を停止する（ステップＳ５２）。この際、ＣＰＵ１２は印刷制御部４８として機能する。
【００５３】
次に、ＣＰＵ１２は、印刷ボタンｂ２が押された際の基準時間ｔｎを監視し（ステップＳ５４）、基準時間ｔｎが第３の基準時間ｔ３以外の場合（ステップＳ５４でＮＯ）、静止画像Ｇをインデックス印刷する（ステップＳ５６）。また、基準時間ｔｎが第３の基準時間ｔ３の場合（ステップＳ５４でＹＥＳ）、印刷ボタンｂ２が押された際に表示部１４に表示されていた静止画像Ｇを単ページ印刷する（ステップＳ５８）。そして、印刷処理を終了する。尚、印刷処理が終了した後は、表示処理を再開しても良いし、表示部１４に何も表示しない状態に移行しても良い。
【００５４】
この印刷処理では、基準時間ｔｎが長く、単位時間当たりに表示部１４に表示される静止画像Ｇの数が予め設定された枚数よりも少なければ、インデックス印刷を実行する。また、基準時間ｔｎが短く、単位時間当たりに表示部１４に表示される静止画像Ｇ数が予め設定された枚数よりも多ければ、単ページ印刷を実行する。尚、記憶部１６には、インデックス印刷、単ページ印刷等の複数の印刷設定Ｓが記憶されている。図８に示すように、記憶部１６には基準時間ｔｎに関連付けられて印刷設定Ｓが記憶されている。
【００５５】
５．本実施形態の効果
（１）本実施形態の表示装置１０では、表示処理において第１モード置換処理を実行しており、経過時間Ｔが設定時間Ｔｎを超えた場合に基準時間ｔｎを長く切り替え、単位時間当たりに表示部１４に表示される静止画像Ｇの数を少なくしている。そのため、ユーザが複数の静止画像Ｇを閲覧する際に、経過時間Ｔが短く、複数の静止画像Ｇの中身を素早く確認したいような状況では、単位時間当たりに表示部１４に表示される静止画像Ｇの数を多くすることで中身の確認を容易とすることができる。また、経過時間Ｔが長く、複数の静止画像Ｇの中身を把握しているような状況では、単位時間当たりに表示部１４に表示される静止画像Ｇの数を少なくすることで静止画像Ｇを充分に観賞することができる。この表示装置１０によれば、ユーザの必要性に応じた画面遷移を提供することができる。
【００５６】
（２）本実施形態の表示装置１０では、基準時間ｔｎが短いほど、表示部１４の表示設定Ｓのうち、明るさｘｎを暗いものに切り替え、階調ｙｎを階調数の少ないものに切り替え、解像度ｚｎを低いものに切り替える。基準時間ｔｎが短い場合、静止画像Ｇが素早く遷移するので、基準時間ｔｎが長い場合に比べて静止画像Ｇを視認するユーザの負担が増大してしまう。本実施形態の表示装置１０では、上記のように表示設定Ｓを切り替えることで、静止画像Ｇを視認する際のユーザの負担を軽減することができる。
【００５７】
（３）本実施形態の表示装置１０では、停止処理において継続処理を実行しており、停止指示を受け付けた際の基準時間ｔｎが短いほど、表示部１４に表示する静止画像Ｇの表示枚数ｈｎを多く設定している。基準時間ｔｎが短い場合、静止画像Ｇが素早く遷移するので、ユーザが望む静止画像Ｇを表示させたい場合でも、停止指示のタイミングによっては、ユーザの望まない静止画像Ｇが表示部１４に表示されてしまうことがある。本実施形態の表示装置１０では、上記のように表示枚数ｈｎを設定することで、表示部１４に表示される静止画像Ｇの中にユーザが望む静止画像Ｇが含まれる確率を高めることができ、ユーザの必要性に応じた画面表示を提供することができる。
【００５８】
（４）本実施形態の表示装置１０では、停止処理において継続処理を実行しており、停止指示を受け付けた際の基準時間ｔｎが短いほど、表示部１４に表示する静止画像Ｇの含有枚数ｇｎを多く設定している。基準時間ｔｎが短い場合、静止画像Ｇが素早く遷移するので、ユーザが望む静止画像Ｇを表示させたい場合でも、停止指示のタイミングによっては、ユーザが望む静止画像Ｇが既に置換処理されてしまっていることがある。この場合、ユーザが望む静止画像を表示部に再び表示されるまでには、その他の静止画像Ｇが一巡して表示されるのを待つ必要があり、煩わしい。本実施形態の表示装置１０では、上記のように含有枚数ｇｎを設定することで、表示部１４に表示される静止画像Ｇの中にユーザが望む静止画像Ｇが含まれる確率を高めることができ、ユーザの必要性に応じた画面表示を提供することができる。
【００５９】
（５）本実施形態の表示装置１０では、置換処理において、ユーザによってモード切換ボタンｂ３が押され、モード切換指示が入力された場合に、あるいはユーザによって外部メモリ３０が接続部１８に接続され、外部メモリ３０から記憶部１６に静止画像Ｇが記憶された場合に、第２モード置換処理から第１モード置換処理に切り替える。本実施形態の表示装置１０では、ユーザによるこれらの行為に基づいて置換処理のモードを切り替えることができ、ユーザの必要性に応じた画面遷移を提供することができる。
【００６０】
（６）本実施形態の表示装置１０では、印刷処理において、基準時間ｔｎが基準時間ｔ３よりも短く、単位時間当たりに表示部１４に表示される静止画像Ｇの数が多い場合にインデックス印刷を実行し、基準時間ｔｎが基準時間ｔ３と等しく、単位時間当たりに表示部１４に表示される静止画像Ｇの数が少ない場合に、単ページ印刷を実行している。ここで、単位時間当たりに表示部１４に表示される静止画像Ｇの数が多い場合は、静止画像Ｇが素早く遷移するため、ユーザにとっては、複数の静止画像Ｇを早く閲覧したいという要望からインデックス印刷を実行する可能性がある。また、単位時間当たりに表示部１４に表示される静止画像Ｇの数が少ない場合は、静止画像Ｇがゆっくりと遷移するため、ユーザにとっては、表示されている特定の静止画像Ｇを閲覧したいという要望からに当該特定の静止画像Ｇに対して印刷を実行する可能性がある。本実施形態の表示装置１０では、上記のように印刷設定Ｓを切り替えることで、ユーザの必要性に応じた印刷を提供することができる。
【００６１】
＜実施形態２＞
実施形態２を図９及び図１０を用いて説明する。図９に示すように、本実施形態のシステムは、記憶部１６に複数の基準枚数ｍｎ及び設定枚数Ｍｎが記憶されており、ＣＰＵ１２が計測部１４４として機能する点で実施形態１のシステムと異なる。
【００６２】
本実施形態では、表示処理において、モードによらず一定時間が経過する毎に置換処理が行われており、表示部１４に複数又は単数の静止画像Ｇが表示される。ＣＰＵ１２は、第２モード置換処理において、一定時間が経過する毎に表示部１４に表示された静止画像Ｇのうち、一定の基準枚数ｍ３の静止画像Ｇを、次の順番の静止画像Ｇに置き換えて表示する。またＣＰＵ１２は、第１モード置換処理において、複数の基準枚数ｍｎ（ｍ１、ｍ２、ｍ３）を用いて静止画像Ｇを置換処理する。
【００６３】
記憶部１６には複数の基準枚数ｍｎ（ｍ１、ｍ２、ｍ３）が記憶されており、この順に数が少なくなるように設定されている。例えば、基準枚数ｍ１は４枚であり、基準枚数ｍ２は２枚であり、基準枚数ｍ３は１枚である。ＣＰＵ１２は、第２モード置換処理から第１モード置換処理に切り替える際に、基準枚数ｍｎを複数の基準枚数ｍｎのうち最も多い第１の基準枚数ｍ１に切り替える。
【００６４】
ＣＰＵ１２は、第２モード置換処理から第１モード置換処理へと切り替えられてから表示部１４に表示される静止画像Ｇの累積枚数Ｍを計測する。記憶部１６には複数の設定枚数Ｍｎ（Ｍ１、Ｍ２）が記憶されており、この順に数が多くなるように設定されている。例えば、設定枚数Ｍ１は４０枚であり、設定枚数Ｍ２は６０枚である。ＣＰＵ１２は累積枚数Ｍと設定枚数Ｍｎを比較しており、累積枚数Ｍが設定枚数Ｍｎを超えた場合に基準枚数ｍｎを切り替える。
【００６５】
図１０に、設定枚数Ｍｎと基準枚数ｍｎの関係を示す。ＣＰＵ１２は、累積枚数Ｍが設定枚数Ｍ１を超えた場合に、基準枚数ｍｎを第１の基準枚数ｍ１から第１の基準枚数ｍ１の次に多い第２の基準枚数ｍ２に切り替える。また、累積枚数Ｍが設定枚数Ｍ２を超えた場合に、基準枚数ｍｎを第２の基準枚数ｍ２から最も少ない第３の基準枚数ｍ３に切り替える。つまりＣＰＵ１２は、所定の枚数の静止画像Ｇが表示部１４に表示された場合に、基準枚数ｍｎを一段少ないものに切り替える。
【００６６】
尚、本実施形態における累積枚数Ｍが多いことは、本発明における経過時間が長いことと同義である。即ち、本実施形態では累積枚数Ｍを計測することで、本発明における表示指示を検出してからの経過時間を計時している。
【００６７】
本実施形態の表示装置１０では、表示処理の第１モード置換処理において、累積枚数Ｍが設定枚数Ｍｎを超えた場合に基準枚数ｍｎを少なく切り替え、単位時間当たりに表示部に表示される静止画像Ｇの数を少なくする。そのため、ユーザが複数の静止画像Ｇを閲覧する際に、累積枚数Ｍが少なく、複数の静止画像Ｇの中身を素早く確認したいような状況では、表示部１４に表示される静止画像Ｇの数を多くすることで中身の確認を容易とすることができる。また、累積枚数Ｍが多く、複数の静止画像Ｇの中身を把握しているような状況では、表示部１４に表示される静止画像Ｇの数を少なくすることで静止画像Ｇを充分に観賞することができる。この表示装置１０によれば、ユーザの必要性に応じた画面遷移を提供することができる。
【００６８】
＜実施形態３＞
実施形態３を図１１及び図１２を用いて説明する。本実施形態のシステムは、継続処理において表示部１４に表示される静止画像Ｇの内訳が実施形態１のシステムと異なる。
【００６９】
本実施形態では、継続処理において、基準時間ｔｎによらず単数の静止画像Ｇが表示部１４に表示される。図１１に示すように、記憶部１６には基準時間ｔｎに関連付けられて戻り枚数ｒｎが記憶されている。図１２に示すように、ＣＰＵ１２は、停止ボタンｂ１が押された際の基準時間ｔｎを監視しており、この基準時間ｔｎに基づいて戻り枚数ｒｎを設定し（ステップＳ１３４）、当該静止画像Ｇを表示部１４に表示する（ステップＳ３８）。
【００７０】
ここで戻り枚数ｒｎは、継続処理となった際に表示部１４に表示されていた静止画像Ｇと実際に表示部１４に表示される静止画像Ｇとの関係を表す。例えば、静止画像Ｇが静止画像Ｇ１、Ｇ２・・・の順番で表示されており、停止ボタンｂ１が押された際に表示されていた静止画像Ｇが静止画像Ｇ６であったとする。また、戻り枚数ｒｎが３枚であったとする。このとき、プリンタ３２には静止画像Ｇ６から３枚戻った静止画像Ｇ、つまり静止画像Ｇ３が表示部１４に表示されることとなる。
【００７１】
記憶部１６には複数の戻り枚数ｒｎ（ｒ１、ｒ２、ｒ３）が記憶されており、この順に数が少なくなるように設定されている。例えば、戻り枚数ｒ１は６枚であり、戻り枚数ｒ２は３枚であり、戻り枚数ｒ３は０枚である。つまり、戻り枚数ｒｎは、基準時間ｔｎとの関係において、基準時間ｔｎが短くなるに従って戻り枚数ｒｎの枚数が多くなるように設定されている。
【００７２】
また本実施形態では、継続処理中に印刷ボタンｂ２が押されると（ステップＳ４０でＹＥＳ）、静止画像Ｇの選択処理が行われることなく、プリンタ３２を用いて表示部１４に表示されている静止画像Ｇを印刷する（ステップＳ１４４）。
【００７３】
本実施形態の表示装置１０では、印刷処理において、印刷指示を受け付けた際の基準時間ｔｎが短いほど、プリンタ３２に印刷する静止画像Ｇの戻り枚数ｒｎを多く設定している。基準時間ｔｎが短い場合、静止画像Ｇが素早く遷移するので、ユーザが望む静止画像Ｇを表示させたい場合でも、停止指示のタイミングによっては、ユーザが望む静止画像Ｇが既に置換処理されてしまっている場合がある。本実施形態の表示装置１０では、上記のように戻り枚数ｒｎを設定することで、基準時間ｔｎに関わらず停止指示を受け付けた際に表示部１４に表示されていた静止画像Ｇを表示する場合に比べて、表示部１４にユーザが望む静止画像Ｇが表示される確率を高めることができ、ユーザの必要性に応じた画面表示を提供することができる。
【００７４】
＜他の実施形態＞
本明細書に記載の技術は上記記述及び図面によって説明した実施形態に限定されるものではなく、例えば次のような実施形態も本明細書に記載の技術的範囲に含まれる。
（１）上記実施形態では、表示装置１０の記憶部１６内に静止画像Ｇが記憶されており、その静止画像Ｇを表示部１４に表示する例を用いて説明を行ったが、静止画像Ｇが記憶されている場所はこれに限られない。例えば、図１３に示すように、表示装置１０の記憶部１６には静止画像Ｇが記憶されておらず、表示装置１０は、静止画像Ｇが記憶された外部メモリ３０が接続部１８に接続された場合に、外部メモリ３０に記憶されていた静止画像Ｇを読み取って、表示部１４に表示する構成としてもよい。これによって、表示装置１０に必要な記憶部１６の容量を小さく構成することができる。
【００７５】
（２）また、図１４に示すように、表示装置１０が通信回線３４を介して静止画像Ｇが記憶されているサーバ３６に接続されている場合には、サーバ３６に記憶されている静止画像Ｇを読み取って、表示部１４に表示する構成としてもよい。この場合、表示装置１０は、サーバ３６から読み取った静止画像Ｇを一度記憶部１６に保存する必要がある。表示装置１０は、記憶部１６の容量が小さく、十分な静止画像Ｇを保存することができない場合には、サーバ３６から読み取った静止画像Ｇの解像度を低くして記憶部１６に保存してもよい。
【００７６】
（３）上記実施形態では、表示処理において、静止画像Ｇを次の静止画像Ｇに置き換える際に、静止画像Ｇの切り替えをスムーズに演出するための表示エフェクトが設定されていてもよい。さらに、表示エフェクトの内容や期間が、基準時間ｔｎや基準枚数ｍｎに基づいて変化するように設定されていてもよい。これによって、表示装置１０を視認したユーザが、表示エフェクトから現在の基準時間ｔｎや基準枚数ｍｎを認識することができる。
【００７７】
（４）上記実施形態では、表示装置１０とプリンタ３２が別々の装置として構成されるシステムを用いて説明を行ったが、表示装置１０とプリンタ３２が一体の装置として構成されていてもよい。図１５に、印刷部２６を備えた表示装置１０を示す。印刷部２６は、表示装置１０内のＣＰＵ１２等の各部と内部配線２４によって接続されており、ＣＰＵ１２によって制御されている。この表示装置１０によれば、内部に印刷部２６を備えていることで、表示装置１０単体で印刷処理を実行することができる。そのため、ユーザの必要性に応じて静止画像を印刷等する際に、印刷条件等をより好適に変更することができる。
【００７８】
（５）上記実施形態で説明した基準時間ｔｎ、設定時間Ｔｎ、基準枚数ｍｎ、設定枚数Ｍｎは、予め記憶部１６に記憶されていてもよければ、操作部２０等を介してユーザが設定してもよい。これらのパラメータをユーザ自身が設定できることで、ユーザの必要性に応じた画面遷移を提供することができる。また、記憶部１６、外部メモリ３０、サーバ３６に記憶されている静止画像Ｇの総枚数に応じて、上記パラメータが設定されても良い。
【００７９】
（６）上記実施形態では、表示装置１０内に操作部２０が設けられており、表示装置１０が操作部２０に対して行われた動作に従って各種処理を行う例を用いて説明を行ったが、表示装置１０の外部からの指示に従って各種処理を行ってもよい。
【００８０】
図１６に、表示装置１０が通信回線３４を介して操作機能を有するＰＣ５２に接続されているシステムを示す。ＰＣ５２には、ウェブブラウザプログラム（以下「ウェブブラウザ」という）５４が記憶されており、ウェブブラウザ５４を用いて表示装置１０に接続されている。ＰＣ１０は、ウェブブラウザ５４を用いたブラウザ操作によって、表示装置１０に設定、停止、印刷等の処理を実行することができる。このシステムによれば、表示装置１０から離れた位置からも表示装置１０の設定等を変更することができ、ユーザの必要性に応じて、各種設定等をより好適に変更することができる。
【００８１】
本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成し得るものであり、そのうちの一つの目的を達成すること自体で技術的有用性を持つものである。
【符号の説明】
【００８２】
１０：表示装置、１２：ＣＰＵ、１４：表示部、１６：記憶部、１８：接続部、２０：操作部、２２：ネットワークインターフェイス、３０：外部メモリ、３２：プリンタ、３６：サーバ、４０：表示制御部、４２：検出部、４４：計時部、４６：停止制御部、４８：印刷制御部、５０：切替部、１４４：計測部、Ｇ：静止画像、ｔｎ：基準時間、Ｔｎ：設定時間、ｍｎ：基準枚数、Ｍｎ：設定枚数、Ｓ：表示／印刷設定、ｘｎ：明るさ、ｙｎ：階調、ｚｎ：解像度、ｈｎ：表示枚数、ｇｎ：含有枚数、ｒｎ：戻り枚数
【図１】
2012048376.tif 000003
【図２】
2012048376.tif 000004
【図３】
2012048376.tif 000005
【図４】
2012048376.tif 000006
【図５】
2012048376.tif 000007
【図６】
2012048376.tif 000008
【図７】
2012048376.tif 000009
【図８】
2012048376.tif 000010
【図９】
2012048376.tif 000011
【図１０】
2012048376.tif 000012
【図１１】
2012048376.tif 000013
【図１２】
2012048376.tif 000014
【図１３】
2012048376.tif 000015
【図１４】
2012048376.tif 000016
【図１５】
2012048376.tif 000017
【図１６】
2012048376.tif 000018